(57)【特許請求の範囲】
【請求項１】
少なくとも無機系多孔質素材を充填した容器に営巣性動物を移して飼育し、該営巣性動物の外表を少なくとも上記無機系多孔質素材で被覆して固めることにより筒状部材を形成させて得られることを特徴とする釣餌用梱包材。
【請求項２】
上記無機系多孔質素材がバーミキュライト、ゼオライト、シリカゲル及びパーライトのうちの１種又は２種以上である請求項１記載の釣餌用梱包材。
【発明の詳細な説明】
【０００１】
【発明の属する技術分野】
本発明は、釣餌用梱包材に関する。更に詳しくは、従来よりも軽く、強度的に優れて取扱が簡単で、釣餌を長期間衛生的に保存して効率的に輸送することができる釣餌用梱包材に関する。
【０００２】
【従来の技術】
魚釣には様々な手法があり、その一つとして環形動物等を釣餌として用いた餌釣がある。この餌釣に用いられている環形動物等の釣餌用動物は、主に国内に生息するゴカイ類、イソメ類等であるが、近年では、消費量の増加や収穫量の減少等の理由により、国外からの輸入を行う場合が多い。また、従来からのゴカイ類、イソメ類等に加えて、体長が数十ｃｍあるオニイソメ等の大型で長尺の環形動物が釣餌用動物として利用されることもあるが、これらの大型で長尺の環形動物は国内での入手が難しく、主に国外からの輸入に頼ることが多い。そして、これら釣餌用動物の輸送期間は、上記のように国外からの輸入することが多くなってきたために、従来より長期にわたることが多くなってきている。
【０００３】
一方、釣餌では、釣餌用動物が生きていて活気がある状態であることが要求されているが、輸送中は、釣餌用動物の管理がおざなりになりやすく、放置されがちとなる結果、釣餌用動物が弱ってしまいがちになりやすいという問題がある。
実際、釣餌用動物として、国内産のみならず中国産、韓国産、ヨーロッパ産等のものが流通しているが、通常は、数日しか保存ができず、販売可能日が１ヶ月のうち半分くらいになり、輸送効率が低いという問題がある。特に、上記に示したように、釣餌用環形動物の輸送期間が従来より長期化し、亜熱帯地方等の比較的温度の高い地域内を輸送することも多いので、釣餌に必要な釣餌用動物の活気の維持がより難しくなってきている。
【０００４】
そこで、従来より、釣餌用動物の運搬方法として様々な方法及び運搬道具が開発され、実用されている。例えば、釣餌用動物の運搬方法として、おがくず、ゼオライト及びバーミキュライト等の破砕物を充填した容器内に、多数の釣餌用環形動物を収納して輸送する方法が一般的に行われている（特開平８−４７３５９号公報及び特開平９−２２００４３号公報等）。しかし、かかる運搬方法では、１つの容器に２匹以上収納することになるが、釣餌用動物の種類によっては、近くにいる別の釣餌用動物と互いに噛み合ったり、絡まったりする等の理由で、傷つき、弱り、死んでしまい、輸送効率が低下する場合がある。かかる観点から、釣餌用動物の運搬方法として、一匹一匹を筒状の被覆材に収納して運搬することも行われているが（特開昭５１−５１４９１号及び特開２０００−２８７５９８号公報等）、釣餌用動物を被覆材に収納するのに手間がかかることもある。
【０００５】
また、スゴカイ（通称、袋虫、ミノムシ、フクロイソメ、スムシ、イチヨセ）等のように、営巣する性質のある釣餌用動物の場合は、筒状の被覆材に収納して運搬する場合、わざわざ巣から取出してから被覆材に収納しなければならず、かえって手間がかかるという問題がある。そして、スゴカイ等のように営巣する性質のある釣餌用動物は、巣から取出した状態で運搬すると生存率が下がることから、従来は自然に形成された巣に収納された状態で運搬していた。しかし、例えばスゴカイは一般に、砂地、泥地に生息し、成虫の大きさは１０〜５０ｃｍと大きく、体表から粘膜を出し、その際、粘膜質に周辺の砂、泥、貝殻、海草、木の葉、ごみ等粘膜に付着し易いものを吸着し、固形化した粘膜と共に巣を作るため、自然に形成された巣のままで運搬する場合、重量がかさむので輸送効率が低下する上、泥や砂、ゴミ等が付着して非衛生的であり、中のスゴカイの生育状況が確認しにくいという問題がある。そこで従来より、長期間においても、少ない体積でより多くの釣餌用動物を、死滅させることなく衛生的で鮮度よく効率的に輸送する運搬道具の開発が望まれている。
【０００６】
【発明が解決しようとする課題】
本発明は上記実情に鑑みてなされたものであり、従来よりも軽く、強度的に優れて取扱が簡単で、釣餌を長期間衛生的に保存して効率的に輸送することができる釣餌用梱包材とを提供することを目的とする。
【０００７】
【課題を解決するための手段】
本発明者等は、釣餌用動物の生態、特性、輸送過程での生育状態と梱包材等との関係について鋭意検討した結果、営巣する性質のあるゴカイ類やイソメ類をバーミキュライト等のような無機系多孔質素材を充填した容器に移して飼育すると、ゴカイ類やイソメ類は無機系多孔質素材を材料として自らの外表を被覆して巣を作ることを見出し、この無機系多孔質素材で被覆されたゴカイ類やイソメ類は、短期間の営巣であっても、従来の梱包材で梱包する場合よりも軽く、強度的に優れて取扱が簡単で、釣餌を長期間保存することができることを見出して、本発明を完成するに至った。
【０００８】
請求項１記載の発明の釣餌用梱包材は、少なくとも無機系多孔質素材を充填した容器に営巣性動物を移して飼育し、該営巣性動物の外表を少なくとも上記無機系多孔質素材で被覆して固めることにより筒状部材を形成させて得られることを特徴とする。
【０００９】
上記「釣餌用動物」としては、従来より一般的に釣餌用に用いられている動物であれば特に限定はなく、例えば、イソメ類、ゴカイ類等が挙げられる。この中で、以下に示すように、自ら営巣する性質のある釣餌用動物であると、自ら営巣する際に体表から出す粘液によって、無機系多孔質素材で外表を固めて自ら筒状部材を形成し、該筒状部材内部に上記釣餌用動物が収納された状態とすることができるので好ましい。このような自ら営巣する性質のある釣餌用動物としては、例えば、上記のようなイソメ類、ゴカイ類等が挙げられ、特にスゴカイが好ましい。尚、上記「釣餌用動物」の大きさは、該釣餌用動物の状態によって変動があるが、本明細書においては、該釣餌用動物が筒状部材内で直線状となって安静にしている状態の大きさとする。また、釣餌用動物が自ら折り畳んだ状態となって、筒状部材内に大きな空隙部分が生ずる場合があるが、これを問わない。
【００１０】
請求項１記載の発明の釣餌用梱包材の一例を図１に示す。釣餌用梱包材１は図１に示すように、体長が２００〜４００ｍｍ（平均約３００ｍｍ）、体径が４〜８ｍｍ（平均約６ｍｍ）程度の釣餌用動物２であるスゴカイを収納しており、図１に示すように、筒状部材１１を備える。そして、筒状部材１１は、長さが３００ｍｍ、内径が直径８ｍｍの略円筒形状で、釣餌用動物２を折り畳むことなく、直線状に収容することができる。
【００１１】
上記「筒状部材」の大きさについては特に限定はなく、内部に収納する釣餌用動物の大きさによって定まるが、筒径は、収納する釣餌用動物の安静時の体径と同じか又は僅かに大きいとするのが好ましく、通常は、上記体径の１〜１．６倍（好ましくは１．１〜１．５倍）である。即ち、安静時の体径が６ｍｍ程度の釣餌用動物の場合は、筒状部材の径を６〜９ｍｍとすることができる。このような径の大きさとすることで、釣餌用動物が身体を折り曲げた場合においても無理が掛からず、弱ってしまうのを防ぐことができる。また、上記「筒状部材」の全長は、釣餌用環形動物の安静時の体長と同じか又はそれより長くすることが好ましく、通常は、上記体長の１〜１．６倍（好ましくは１．１〜１．５倍）の長さとすることができる。即ち、安静時の体長が３００ｍｍ程度の環形動物を収納する場合、筒状部材の長さは３００〜５００ｍｍとすることができる。このような長さとすることで、釣餌用動物が身体を直線状にした場合においても無理が掛からないようにすることができる。
【００１２】
上記「筒状部材」の横断面形状は特に問わず、不定形、円形、多角形、楕円形等、様々な形状にすることができる。環形動物は横断面形状が円形に近い略楕円形であるため、環形動物の体形にあった筒状部材とする場合、円形又は楕円形とすることができる。また、筒状部材の形状を四角形等の多角形とした場合、縦横に積層して省スペースで保管する際において極めて便利である。
【００１３】
上記「筒状部材」は、少なくとも無機系多孔質素材を含有し、該無機系多孔質素材を固めて形成された部材である。上記「無機系多孔質素材」とは、無機系で多孔質性の物質であれば特に限定はなく、例えば、バーミキュライト、ゼオライト、シリカゲル及びパーライト等が挙げられ、この内の１種又は２種以上を併用することができる。従来のように砂、泥、木の葉等で自然に形成された巣の場合は、重量がかさみ、短期間の営巣では、巣自体が脆く、更に巣を形成するのに時間がかかるため、釣餌用動物の輸送効率が低下するという問題があるが、請求項１記載の発明では、上記構成を備えることにより、従来の自然に形成された巣と比較して軽く、砂や泥と比べてなじみ易いため強固であり、筒状部材を形成するのが早い。また、バーミキュライト、ゼオライト、シリカゲル及びパーライトには保湿性、通気性があり、長時間の輸送でも乾燥を防ぐことができ、温度変化に強いことから、釣餌用動物の輸送効率を従来よりも格段に向上させることができる。
【００１４】
また、上記「筒状部材」は、少なくとも上記「無機系多孔質素材」を含有するものであれば、その他の材料も含有するものとすることもできる。このような他の材料としては、例えば、木の葉（特にマングローブの葉や広葉樹の葉）、海藻を乾燥させたもの等が挙げられる。この中で、マングローブの葉等の木の葉と無機系多孔質素材、特にバーミキュライトとの混合物とすると、営巣性を有する動物がかかる木の葉を餌に生育するので営巣活動が盛んになる上、巣を形成するために分泌する粘液とのなじみがよく、筒状部材の強度を高めることができるので好ましい。
【００１５】
請求項１記載の発明の釣餌用梱包材は、少なくとも無機系多孔質素材を充填した容器に営巣性動物を移して飼育し、該営巣性動物の外表を少なくとも上記無機系多孔質素材で被覆して固めることにより筒状部材を形成させて得られる。かかる方法によれば、釣餌用動物自身の作用により無機系多孔質素材を固めて自らの外表を被覆して筒状部材を形成することから、容易に釣餌用梱包材を形成でき、しかも、釣餌用動物が筒状部材に収納された状態になることから、従来のように、筒状部材に釣餌用動物を収納するという手間を省くことができる。しかも、請求項１記載の発明の釣餌用梱包材は、釣餌用動物が一匹単位で梱包されているため、このまま商品として取扱い、販売することができる。このように用いることで、輸送時と同様に少ない体積で多くの環形動物を長期保存することができるし、取り扱う場合も手を汚さずに取り扱うことができる。
【００１６】
請求項１記載の釣餌用梱包材の製造方法は、少なくとも無機系多孔質素材を充填した容器に営巣性動物を移して飼育し、該営巣性動物の外表を少なくとも上記無機系多孔質素材で被覆して固めることにより筒状部材を形成することが挙げられる。
【００１７】
上記「営巣性動物」とは、周囲の泥、砂、木の葉等を固めて自らの外表を被覆する性質を有する動物であれば特に限定はなく、それ自身が釣餌用動物であっても、また、釣餌用動物でなくてもよい。このような営巣性動物としては、通常、自ら粘液を放出し、この粘液により周囲の泥、砂、木の葉等を固めて自らの外表を被覆する動物が挙げられ、具体的には、例えば、スゴカイ等のゴカイ類やイソメ類等が挙げられる。
【００１８】
上記の釣餌用梱包材において、上記「容器」に充填する無機系多孔質素材としては、例えば、バーミキュライト、ゼオライト、シリカゲル及びパーライトの１種又は２種以上を用いることができ、また、木の葉等の他の材料と上記無機系多孔質素材とを混合して充填することもできる。また、上記営巣性動物を飼育する上記「容器」の大きさ、材質、上記営巣性動物を上記容器に移した後の飼育条件については、営巣性動物が上記容器内の無機系多孔質素材を材料として自らの外表を被覆し、筒状部材を形成できる限り特に限定はない。
【００１９】
上記の釣餌用梱包材の製造方法によれば、無機系多孔質素材を充填した容器に上記営巣性動物を移して飼育することにより、上記営巣性動物が、容器中に充填されている無機系多孔質素材を材料として、自らの外表を被覆することにより巣である筒状部材を形成するので、無機系多孔質素材を人工的に固めるよりも簡易な方法で釣餌用梱包材を製造することができる。
【００２０】
また、上記の釣餌用梱包材の製造方法では、営巣性動物自ら釣餌用梱包材の内部に入り込んだ状態となるので、営巣性動物自身がスゴカイ等のような釣餌用動物である場合、営巣性動物の営巣作用により形成された釣餌用梱包材を容器から取出し、そのまま運搬することができるので、従来のように、一度巣から取出して、再度別の運搬用被覆材に収納するという手間を省くことができる。更に、上記の釣餌用梱包材の製造方法では、上記営巣性動物を飼育して釣餌用梱包材を作らせた後、その内部に収納されている上記営巣性動物を取出してもよい。上記のように、上記の釣餌用梱包材の製造方法により得られた釣餌用梱包材は、保湿性、通気性があり、長時間の輸送でも乾燥を防ぐことができ、温度変化に強く、釣餌用動物の輸送効率を従来よりも格段に向上させることができることから、上記営巣性動物を飼育して釣餌用梱包材を作らせた後、その内部に収納されている上記営巣性動物を取出し、次いで営巣性を有しない釣餌用動物を収納することにより、営巣性を有しない釣餌用動物でも、上記の釣餌用梱包材の製造方法により得られた釣餌用梱包材により運搬することができるので好ましい。
【００２１】
【発明の実施の形態】
（１）実験の方法
以下に示す方法により、本発明の釣餌用梱包材を調製し、釣餌用動物の生育状況を調べた。
本実験で用いた実験装置を図３及び図４に示す。本実験において、釣餌用動物として、インドネシアスゴカイ（体長約６〜１０ｃｍ程度）を用いた。また、飼育用の篭３として、以下に示す実施例１及び比較例１〜３の篭を用いた。
〔Ａ〕実施例１：４個の篭３にそれぞれバーミキュライトを５リットル入れたもの
〔Ｂ〕比較例１：４個の篭３にそれぞれ海砂（天然砂）を５リットル入れたもの
〔Ｃ〕比較例２：４個の篭３にそれぞれ海砂（天然砂）を４リットル、マングローブの葉（干潟に落下して褐色に変化したもの）を１リットル入れたもの
〔Ｄ〕比較例３：４個の篭３にそれぞれ海砂（天然砂）を４リットル、椰子の殻の繊維を１リットル入れたもの
【００２２】
上記実施例１及び比較例１〜３の篭（４個）を用い、この篭１個につき、それぞれ上記インドネシアスゴカイを１０尾ずつ入れた。この際、４個の篭についてそれぞれ▲１▼〜▲４▼の番号を付した（即ち、各篭について、実施例１−▲１▼〜▲４▼、比較例１−▲１▼〜▲４▼、比較例２−▲１▼〜▲４▼、及び比較例３−▲１▼〜▲４▼と番号を付している）。そして、１２時間毎に海水を配管４、５を通して水槽６に注水し、各水槽の水位調整孔６１を閉じて水位調整孔６２を開放し、水槽６の水位を水位調整孔６２の高さに保ったまま注水した。この状態で約１時間給水し、その後、水位調整孔６１を開放して水槽６の水位を下げた。この場合の水槽６の水位は、篭３の底面に接するようにし、篭３の内部が適当な湿度を保てるようにした。そして、この過程を１２時間経過後、再度繰り返し、７日間、インドネシアスゴカイを飼育した。
【００２３】
そして、飼育から１、３、５及び７日後に、１個の篭３においてインドネシアスゴカイが形成した釣餌用梱包材の大きさ強度、重さ、巣からの逃散尾数、活性状況、及び生存数を調べた。尚、１日後は実施例１及び比較例１〜３の▲１▼の篭を調べ、３日後は▲２▼の篭、５日後は▲３▼の篭、７日後は▲４▼の篭を調べた。その結果を表１に示す。
【００２４】
また、輸送時における生存状況を調べるため、上記飼育後、生存しているインドネシアスゴカイ入りの釣餌用梱包材をそのまま発泡スチロール容器に入れ、輸送時の梱包に近い状態、即ち、日中３０〜３２℃、夜間２４〜２７℃の条件で４８時間保管し、１２時間、２４時間及び４８時間経過後のインドネシアスゴカイの生存状況を確認した。その結果を以下の表２に示す。尚、表２中、生存率１（％）は、上記餌用梱包材を調製する段階の個体数（４０尾）に対する生存率であり、生存率２（％）は、本実験開始時の個体数に対する生存率である。
【００２５】
【表１】
0003698653.tif 000002
【００２６】
【表２】
0003698653.tif 000003
【００２７】
（２）実験の結果
表１より、実施例１及び比較例１〜３を対比すると、無機系多孔質素材としてバーミキュライトを充填した篭にてインドネシアスゴカイを飼育することにより形成され、バーミキュライトで構成される実施例１の釣餌用梱包材の重量は６．２ｇと軽く、短期間の営巣でも巣の強度も厚い。また、内部のインドネシアスゴカイの生育状況も非常に良く、巣からの逃散尾数の０で、７日経過後でも４０尾全て生存していることが判る。この結果より、本発明の釣餌用梱包材は、釣餌用動物の生存率が高く、しかも軽くて強度的にも優れていることから、本発明の釣餌用梱包材を用いることにより、効率的に釣餌用動物を輸送・保管でき、しかも、取扱も容易であることが判る。
【００２８】
一方、海砂で構成される比較例１及び海砂と椰子殻の混合物で構成される比較例３の各釣餌用梱包材では、インドネシアスゴカイの生育状況、巣の強度がやや実施例１よりも劣り、営巣個体数が３９匹、巣からの逃散数が２〜３匹で営巣性が悪く、しかも、巣の重量は８．６〜９．２ｇと実施例１より重く、生存数が３６〜３７匹と生存率も実施例１より低下していることが判る。また、海砂とマングローブの葉で構成される比較例２の釣餌用梱包材では、マングローブの葉を含有する分、比較例１と比較してインドネシアスゴカイの生育状況及び営巣性には優れているものの、巣の重量が１０．１ｇと更に重いので、実施例１よりも重量がかさみ、輸送効率が低下することが判る。
【００２９】
また、実施例１及び比較例１〜３の釣餌用梱包材をそのまま発泡スチロール容器に入れ、輸送時の梱包に近い状態にして、インドネシアスゴカイの生存状況を確認したところ、表２より、無機系多孔質素材としてバーミキュライトを充填した篭にてインドネシアスゴカイを飼育して得られたバーミキュライト製の筒状部材を備える実施例１の釣餌用梱包材では、輸送状態に近い条件における４８時間後の生存率が９５％（生存率１及び２とも）と非常に高いことから、本発明の釣餌用梱包材を用いれば、長時間でも効率的に釣餌用動物を輸送できることが判る。これに対し、海砂、マングローブの葉、椰子殻繊維により構成される比較例１〜３の各釣餌用梱包材では、輸送状態に近い条件における４８時間後の生存率が３０〜６８％（生存率１）及び３２．４〜６９．２％（生存率２）であり、生存率が実施例１の釣餌用梱包材より低く、長時間での輸送効率が低くなることが判る。
【００３０】
尚、本発明においては、前記具体的な実施例に示すものに限られず、目的、用途に応じて本発明の範囲内で種々変更した実施例とすることができる。例えば、本発明の釣餌用梱包材は、図１に示すように袋状でもよいが、所望により、図２に示すように、上記筒状部材１１の先端部をカットして開口端部１２とし、この開口端部１２に栓部材１３を嵌入してもよい。かかる構成とすることにより、釣餌用動物を筒状部材に収納した状態で効率的に運搬できると共に、使用時に容易に釣餌用動物を取出すことができるので好ましい。この場合、開口端部は、図２に示すように、上記筒状部材の片側のみでも、また、両側に設けてもよい。
【００３１】
上記栓部材の材質は、少なくとも環形動物が筒状部材外に逃げられない程度の大きさであればよく、樹脂、ゴム、又は紙等の任意の素材を用いることができる。この樹脂としてはポリエチレン、ポリプロピレン、ポリ塩化ビニル等とすることができ、ゴムとしては、ＳＢＲ、天然ゴム、ポリウレタン、シリコンゴム等とすることができる。また、上記栓部材の形状は、上記筒状部材内に嵌入固定できるものであれば特に問わなく、例えば、嵌入側を小径側としたテーパを備える柱体又は一端側閉鎖且つ他端側開放の筒体とすることができる。また、該筒体又は該柱体には少なくとも１の貫通孔を具備することができる。また、栓部材の大きさについても筒状部材に挿入固定をすることができ、釣餌用動物が筒状部材外に逃げ出さないものであれば特に問わない。
【００３２】
【発明の効果】
本発明の釣餌用梱包材は、自然状態の巣よりも軽く、強度的に優れて取扱が簡単で、保湿性、通気性にも優れていることから、釣餌用動物を長期間衛生的に保存・輸送することができる。また、営巣性動物の営巣作用を利用して筒状部材を形成することから、簡易に製造でき、また、自ら筒状部材に収納された状態となることから、釣餌用動物を巣から取出して、筒状部材に収納するという手間を省くことができる。
【図面の簡単な説明】
【図１】実施例における釣餌用環形動物梱包材内に釣餌用環形動物を収納した状態を示す説明図である。
【図２】本発明の釣餌用梱包材の他の例を示す説明図である。
【図３】実施例における実験装置の平面概略図である。
【図４】実施例における実験装置の正面概略図である。
【符号の説明】
１；釣餌用梱包材、１１；筒状部材、１２；開口端部、１３；栓部材、２；釣餌用動物、３；篭、４，５；配管、６；水槽、６１，６２；水位調整孔、７；海水ポンプ。
【図１】
0003698653.tif 000004
【図２】
0003698653.tif 000005
【図３】
0003698653.tif 000006
【図４】
0003698653.tif 000007